(57)【要約】【目的】身障者用に好適な片手で、しかもペーパーを上方へ向けて切取り、使用時にペーパーの摘み部分を自動的に生じさせる。【構成】後辺を回動軸部２、前辺をカバーペーパー押え辺部４とした上部カバー１と、後辺をペーパー押え辺部５、前辺をペーパー切取辺６とし下方に湾曲した作動カバー７とで成り、作動軸部９にて両者が互いに回動自在で、カバーペーパー押え辺部４がペーパー切取辺６の後方になるよう組合せる。また、ペーパー用支軸１４はペーパー巻芯の内径に近い外径とし、その後方側はペーパー巻芯の内周面に接触し、前方側には空間１９を生ずるよう前傾の断面が楕円状体とする。以上の構成でペーパー切取辺６を持ち上げると、カバーペーパー押え辺部４とペーパー押え辺部５とでロールペーパー表面１０を挟んで回転を阻止してペーパーを切断する片手用トイレットペーパーホルダーである。【選択図】図１
2007330728.tif 000002
【特許請求の範囲】
【請求項１】
ロール状ペーパー用のトイレットペーパーホルダーにおいて、上部カバー（１）の後方上辺部である回動軸部（２）を壁側背面部（３）に回動自在に取付け、該回動軸部（２）とは前方下辺部でありペーパー用支軸（１４）に当接するまで延伸するカバーペーパー押え辺部（４）との間には、下方に湾曲して該ペーパー用支軸（１４）の水平中心線上近辺まで延伸する後方辺をペーパー押え辺部（５）とし、最前方辺をペーパー切取辺（６）とした作動カバー（７）を、該作動カバー（７）の作動バランスを考慮した位置に該上部カバー（１）と互いに連係するよう設けた連係手段として、上記各前後辺に平行な長方形状透孔（８）内にある作動軸部（９）にて、回動自在に、かつ、上記カバーペーパー押え辺部（４）が、上記作動カバー（７）の上記ペーパー切取辺（６）近傍の後方になってロールペーパー表面（１０）に当接するように組合せると共に、上記ペーパー用支軸（１４）の外径をペーパー巻芯の内径にほぼ近く、かつ、後方側は上記ペーパー巻芯の内周面に接触状態にあり、前方側には空間（１９）を生ずるようやや前方に傾いた断面が楕円状体とし、片手でペーパーを引上げることにより上記ペーパー切取辺（６）にて切断しても上記上部カバー（１）が上方へは持上り難いように構成したことを特徴とする片手用トイレットペーパーホルダー。
【請求項２】
連係手段として、上部カバー（１）か作動カバー（７）のいずれか一方の作動軸部（９）に、該作動軸部（９）に平行な長方形状透孔（８）を、該上部カバー（１）に該長方形状透孔（８）を設けた場合はペーパー押え辺部（５）が、作動カバー（７）に該長方形状透孔（８）を設けた場合はカバーペーパー押え辺部（４）を、その該当する辺部を幅狭にして上記長方形状透孔（８）を通して組合せるようにした請求項１記載の片手用トイレットペーパーホルダー。
【請求項３】
作動カバー（７）を長方形状透孔（８）辺りにて前後に分断し、作動軸部（９）にて回動自在に蝶着して、ペーパー押え辺部（５）が、ペーパー切断時以外では常時ロールペーパー表面（１０）に自重にて当接するように吊り下げ状態にした請求項１又は請求項２記載の片手用トイレットペーパーホルダー。
【請求項４】
作動カバー（７）のペーパー押え辺部（５）に、凸凹又は小さな波状形状なり、或は摩擦係数の大きい材質のものを付加した請求項１乃至請求項３のいずれかに記載の片手用トイレットペーパーホルダー。
【請求項５】
ペーパー切取辺（６）部を、上方へ反らせ、かつ、切断しやすい鋭利な形状や、金属か硬質な合成樹脂など材質の異なるものを付加した請求項１乃至請求項４のいずれかに記載の片手用トイレットペーパーホルダー。
【請求項６】
上部カバー（１）の露出している上面の可能な限り前方の中央部に、ペーパー交換時に用いるための取手（２０）を設けた請求項１乃至請求項５のいずれかに記載の片手用トイレットペーパーホルダー。
【請求項７】
上部カバー（１）の表面に、写真・絵等の切り抜き（１３）を装着できるスペースを設けた請求項１乃至請求項６のいずれかに記載の片手用トイレットペーパーホルダー。
【発明の詳細な説明】
【技術分野】
【０００１】  この発明は、ロール状のトイレソトペーパーを収容するペーパーホルダーを使用して、トイレットペーパーを片手で上方へ引き上げることにより簡単に切り取ると共に、トイレットペーパーの切り口が上部カバーに隠れずに、次回使用時の摘み部として自動的に生じさせるトイレットペーパーホルダーの改良に関するものである。
【背景技術】
【０００２】  従来のロール状のトイレットペーパー（以後はペーパーという）を収容するトイレットペーパーホルダー（以後はホルダーという）での使用方法は、片手で必要長のペーパーを引き出してから、上部のカバーを押さえてペーパーの回転流出を止め、もう一方の手でペーパーを切り取っていた。
また、切り取った後の切り口が上部のカバーに隠れてしまうので、次回の取り出しのときに上部のカバーを持ち上げペーパーを引き出す必要があった。【０００３】  最近、身体障害者にも使いやすいように、片手のみでペーパーを簡単に切り取るホルダーの出現が望まれている。ところが従来の片手引き出し方法は、引き出したペーパーを下方へ向けて切断する方法が多いのが実状である。
しかし、総じて身体障害者には半身不随の人達が多く、片手と共に片足も不自由であるから下方へ力を加えることによって姿勢の安定性を崩す虞が見受けられる。
また、下方への加力は、ひょっとして、その手指を勢いよく鋭利な角等に接触させて負傷する等の虞があるともいえるのである。そこで、この発明は敢えて上方へ引き上げることによりペーパーを切断することにした。【０００４】  ペーパーを上方へ引き上げて切断する先行技術を見ると、ホルダーの上部カバーに相当する天井部板の下側に、前辺をカッター辺とし、後辺を押え部とした湾曲状のペーパーカッター板が、前後方向のほぼ中央部の両幅端を回動支点として天井部板に連結していて、ペーパーを上方に向けて引き出すことによって、梃子の原理で押え部がロールペーパーの表面を押圧してペーパーの動きを止めると共に、カッター辺にてペーパーを切断する発明の名称「ロールペーパーカッター付ホルダー」がある（例えば、特許文献１参照。）。【０００５】  また、ホルダーの上部カバーに相当する覆板の下側に、ロールペーパーを導くための導紙棒と、ロールペーパーを押えるための支持棒を平行に結合して成る環状長方体の支持枠を設け、ペーパー切断時に覆板を持上げるように引っ張ると、回動した覆板にある覆板押え部がペーパーを挟んでいる支持棒を押えることによりペーパーの流出を止めると共に、覆板の先端辺にてペーパーを切断する発明の名称「ロールペーパーホルダー」がある（例えば、特許文献２参照。）。【０００６】  更に、ホルダーの上部カバーに相当する腕杆の端部に、両側端部で上下に揺動自在に枢支する帯状板を設け、この帯状板の後縁と前縁とが、バネにて下方へ付勢されている腕杆により常時ロールペーパー上に当接する構成としていて、ペーパーを上方に向けて引き出すことによって、帯状板の前縁を上方へ上げることになるから、梃子の原理で鋭利な後縁がロールペーパーの表面を押圧してペーパーの動きを止めると共にペーパーを切断する発明の名称「ロール紙切断装置」がある（例えば、特許文献３参照。）。【０００７】  加えて、ホルダーの上部カバーの前縁下部に、紙押さえエッジ板をほぼ中央に揺動自在に枢支し、そのほぼセンターとなるラインが常時ロールペーパー上にカバーと共に自重で当接するようにしている。更に、カバー自体は下方へは下がるが上方へはロックされて動かないように構成されているから、ペーパーを上方に向けて引き出すことによって、紙押さえエッジ板の前縁を上方へ上げることになり、梃子の原理で後縁がロールペーパーの表面を押圧してペーパーの動きを止めると共にペーパーを切断する発明の名称「トイレ用ペーパーホルダー」がある（例えば、特許文献４参照。）。
【特許文献１】特開平０４−２１００２２号公報（２頁、図２、図３）
【特許文献２】特開昭５７−１７０２１９号公報（１〜２頁、第１図、第３図）
【特許文献３】実公昭３７−０１０１６０号公報（１頁、第１図、第２図）
【特許文献４】特開平１０−００５１５０号公報（１〜２頁、図１、図２）
【発明の開示】
【発明が解決しようとする課題】
【０００８】  上記の特許文献１は、上部カバーである天井部板が、取り付け壁面から水平状に張り出して固定されているから、確かにペーパーカッター板は確実に作動して、ロールペーパーの動きを止めると共にペーパーを切断する。
しかしながら、ロールペーパーの紙量が少なくなると、押え部を巻芯に近づけねばならないから、必然的にカッター辺はロールペーパー表面から遠く高く離れるようになって切断し難くなる欠点がある。また、天井部板が一般品と異なり固定していて上方へ回動できないから、ロールペーパーの交換がし難いし、内側の拭き掃除もやり難いものと言える。【０００９】  特許文献２においても上部カバーである覆板が、取り付け壁面に対し固定しているし、覆板押え部がペーパーを挟むから、ペーパーにて覆板を上方へ引き上げれば、覆板の先端辺にて確実にペーパーを切断することはできる。
しかしながら、別に環状長方体の支持枠を必要とするし、ペーパーの引き出し経路もこれらの上方の隙間を通す必要から不便に思われる。また、覆板が鋭角に下方に向って張り出し固定しているから該品内側の拭き掃除は一層やり難いものといえる。【００１０】  上記２例に対し、特許文献３の上部カバーに相当する腕杆は、取り付け壁面に対し固定しておらず、バネにて常にロール紙上に帯状板を当接させているから、ペーパーにて帯状板の前縁を上方へ引き上げれば、鋭利な後縁で確実にペーパーを切断することができる。
しかしながら、そのようなバネ力で押さえていては、ペーパーを切らずに引き出すこと自体が難しく思われる。更に、ロール紙の交換時には、バネ力に抗して腕杆を壁面に押し付けているか、そうでなければ壁面位置に固定するロック機構を付加する必要がある。【００１１】  特許文献４も上部カバーが、その前縁の紙押さえエッジ板と共に自重にて常にロール紙上に紙押さえエッジ板を当接させ、加えてロック機構で上方への動きを封じているから、ペーパーにて紙押さえエッジ板の前縁を上方へ引き上げれば、その後縁でロール紙の回動を押さえると共に前縁のエッジで確実にペーパーを切断することができる。
しかしながら、このように機構を複雑にしては日常のことなので、使いやすさを考えるとロックの解除やペーパーの着脱をする手間が掛かり大変に思われるしコストも嵩む。【００１２】  この発明は、以上の諸欠点を解決するために、先ず、上部カバーを従来の一般品のように壁面に対して回動自在にできる状態のものとしておき、その上部カバーに連係するペーパーの押え機能と切断機能を有するペーパー押え部が、常にロール紙面上に当接するように成した上、ペーパー切断時においては、ペーパー押え部の下方から引き出すペーパーにてその前縁を上方へ上げても、上部カバー自体は上方へ回動せず逆に下方へ力点が作用してペーパー押え部がロール紙面上を圧接し、引き上げ出したペーパー部分は、その圧接力に抗し切れずに切断するように工夫するものである。
【課題を解決するための手段】
【００１３】  この発明の基本的な構成を図面に基づき説明する。なお、構成の部分において同一機能を有する箇所は、形状が異なっても同一の符号で表示した。
図１、図１２、図１３、図１４、図１５及び図１６に示すように、ロール状ペーパー用のトイレットペーパーホルダーの上部カバー１において、その上部カバー１は、一般品と同様にその後方上辺部である回動軸部２を、壁側背面部３に回動自在に取付けたものとし、その前方下辺部をカバーペーパー押え辺部４とする。
なお、上部カバー１の回動軸部２からの全長は、そのカバーペーパー押え辺部４がペーパー用支軸１４に当接するまで延伸したものとすることが肝要である。【００１４】  また、上記の上部カバー１には、別に作動カバー７と称する下方に湾曲して後方辺をペーパー押え辺部５、前方辺をペーパー切取辺６としたものを組み合せる必要がある。
この作動カバー７の構成は、そのペーパー押え辺部５がペーパー用支軸１４の水平中心線上近辺まで延伸している方が好ましく、作動バランスを考慮した位置にて該上部カバー１と互いに連係するように取り付けたものとする。
作動バランス位置とは、最も効果の高い結果のでる位置のことで、上部カバー１や作動カバー７の長さや重さによって取り付け位置が異なるから何処と決められないが、一般的にはペーパー用支軸１４の垂直中心線上辺りからペーパー切取辺６に近い辺りまでとなる。【００１５】  この上部カバー１と作動カバー７とを連係させる組み合せ方法は、両者を図１２、図１３、図１４のような上部カバー１の回動軸部２からカバーペーパー押え辺部４との間にて、上述の各前後辺に平行な長方形状透孔８の連係手段を設け、そこにある作動軸部９にて、互いに回動自在に、かつ、図１５、図１６に見るようにカバーペーパー押え辺部４が、上記作動カバー７のペーパー切取辺６近傍の下側になってロールペーパー表面１０に当接するように組合せるのである。なお、その時上記ペーパー切取辺６は、この発明品の最前辺となり、かつ、重量バランス上において常に下方へ傾くように考慮したものとする。【００１６】  また、上部カバー１と作動カバー７の組合せを、図１に示したように、長方形状透孔８をペーパー切取辺６近くまで大きく延長させて、カバーペーパー押え辺部４が上記長方形状透孔８から上方へ自由に露出し得るように構成してもよい。
なお、長方形状透孔８とは、方形に限定されるものでなく、例えば長めの楕円状の透孔であっても構わないことは言うまでもない。【００１７】  更に、ペーパー用支軸１４の外径を、図２に見るようにペーパー巻芯の内径にほぼ近いものとして、加えて、後方側は常にペーパー巻芯の内周面に接触状態にあるようにし、前方側には空間１９を生ずるようやや前方に傾いた断面が楕円状体とするのである。
なお、断面が必ずしも楕円でなければならないというわけではなく、棒体として、その後方側の半周面のみがペーパー巻芯の内周面に接触するよう配慮されれば、前方側は平面状であっても構わない。【００１８】  以上がこの発明の基本構成であり、この構成によって後述する作用により、片手でペーパーを引き出し引上げて、ペーパー切取辺６にてペーパーを切断しても、上部カバー１は上方へは持上り難いペーパーホルダーとなるのである。
すなわち、ペーパーを引き出すときは、ペーパー切取辺６を動かさないので、作動軸部９を介したペーパー押さえ辺部５はロールペーパー表面１０に当接していても、押圧されていない状態にあるから、抵抗なくペーパーを必要分引き出すことができる。【００１９】  次に、図３及び図４に示すように、引き出したペーパーを片手で矢印の方向すなわちペーパー切取方向１２へ引上げたときは、ペーパー切取辺６が上昇し、作動軸部９を介した梃子作用でペーパー押さえ辺部５を連動させて、ロールペーパー表面１０を押圧させペーパーの動きを止めることになる。そのとき、同時に上部カバー１を上昇させる力も働いて、作動カバー７自体が上昇し、ペーパー押さえ辺部５がロールペーパー表面１０から離脱してしまって、上記作動カバー７は上下方向のどの位置にても定まらず、引き上げたペーパーをペーパー切取辺６で切断できなくなってしまうと思われ勝ちである。【００２０】  ところが、この発明ではペーパー切取辺６を上昇させると、上部カバー１のカバーペーパー押え辺部４を下降させる働きになってロールペーパー表面１０を押圧させることとなるのである。そして、このカバーペーパー押え辺部４と、作動カバー７のペーパー押さえ辺部５とで、ロールペーパー表面１０を挟み保持するという共同効果を得られるのである。【００２１】  つまり、ペーパー切取辺６にペーパー切取方向１２に力が加わったとき、力の伝達は次の順序となり、その順序に伴った動作を生ずる。
ア）先ず作動軸部９を支点とした梃子作用でペーパー押さえ辺部５がロールペーパー表面１０を押圧させペーパーの動きを止めようとする。【００２２】イ）更に続いてペーパー切取方向１２へとペーパー切取辺６に力が加わると、ペーパー押さえ辺部５のロールペーパー表面１０への押圧力が強まると共に、ペーパーの引き千切り応力より引き上げ力が大きければ、ペーパーはこの段階で切断する。【００２３】ウ）前項イ）の段階でもペーパーの切断が起こらない場合は、ペーパー切取辺６を上昇させる力は当然作動軸部９をも上昇させようと働く。
その時、ペーパー押さえ辺部５は、より強くロールペーパー表面１０を押圧しょうとするが、上部カバー１は回動軸部２で回動のみが可能であり、上昇そのものは止められているから、作動軸部９は上昇できず、壁側背面部３に向って動かざるを得ない。【００２４】  それ故、作動軸部９を途中に有した上部カバー１は、壁側背面部３に向って動くこととなり、上記作動軸部９の上昇力は上記上部カバー１の下端であるカバーペーパー押え辺部４も壁側背面部３へ向うので、結局、上記カバーペーパー押え辺部４を逆に下降させる力となってロールペーパー表面１０を押圧することになるのである。
つまり、ペーパー押さえ辺部５とカバーペーパー押え辺部４との両押圧ベクトルが、ペーパー用支軸１４に向っていることによって、ロールペーパー表面１０を挟むようになり、ペーパーの動きを止める力となるのである。【００２５】  また、ペーパー用支軸１４の断面が楕円状体としているから、たとえ直径がペーパー巻芯の内径にほぼ近いものとしていても、ペーパーの引き出し時は前方側に空間１９があるためにロールペーパーは前に傾くことができるので容易に回転し引き出せる。
加えて、ロールペーパーは、自重でペーパー用支軸１４の後方側が常にペーパー巻芯の内周面に接触状態にあるから、ペーパーの切断時は、ペーパー押さえ辺部５を含む作動カバーの下面の何処かが、僅かの動きでロールペーパー表面１０を押圧することになって、このこともこの発明の効果を大きくさせているのである。【００２６】  そして、不要なペーパーの流出を防止し、片手で簡単にペーパーを切り取ることが出来るようになったペーパーホルダーの上部カバー１は、ペーパー切り取り時にペーパー切取辺６を上昇させた時、該ペーパー切取辺６とカバーペーパー押え辺部４との離間距離分に相当するだけ作動カバー７に隠れないペーパー摘み部１１を自動的に生じさせることになる。
この発明は、以上の構成を基本とした片手用トイレットペーパーホルダーである。【００２７】  更に、図１及び図１５に見るように、作動カバー７を長方形状透孔８辺りにて前後に分断したものとして作動軸部９にて回動自在に蝶着し、ペーパー切断時以外では、常時ペーパー押え辺部５とペーパー切取辺６、更にカバーペーパー押え辺部４がロールペーパー表面１０に当接するようにした方が後述するペーパー交換時の対策として好ましいものとなる。
この場合、ペーパー切取辺６をロールペーパー表面１０に当接させやすくするためには、前述した図１のように長方形状透孔８を大きく延長させて、カバーペーパー押え辺部４が長方形状透孔８から上方へ自由に露出し得るように構成した方がよい。【００２８】  なお、作動カバー７のペーパー押え辺部５に、凸凹又は小さな波状形状なり、或は摩擦係数の大きい材質のものを付加したものを用いて、より確実にロールペーパー表面１０の回動を抑えるようにするのも好ましい。
また、ペーパー切取辺６部を、上方へ反らせ、かつ、切断しやすい鋭利な形状や、金属か硬質な合成樹脂など材質の異なるものを付加したものとするのも好ましい。
なお、図２の１６は、ペーパー用支軸を壁側背面部に固定するための側板であり、１５は上部カバー１が一定の角度以上には下がらないようにするためのストッパーである。
このストッパー１５を、他の図では全て記載を省略しているが、作動カバー７も一体であるだけに重いものとなるし、その角度以上下げる必要性が無いので設けた方が好ましい。【００２９】  ペーパー交換時には、上部カバー１と共に作動カバー７も上方へ持上げて行うことになるが、この発明は片手用だから図１５と図１６に示すように、上部カバー１の長方形状透孔８に近い辺りに、片手で摘むのに適当な形状の取手２０を有したものとする。
また、図１に示すように長方形状透孔８を大きく開けて、上部カバー１のカバーペーパー押え辺部４近傍に取手２０を設けるようにすると一層持上げやすくなる。【００３０】  なお、上部カバー１の表面に透明カバー１７を有して、写真・絵等の切り抜１３を交換できるよう装着できるスペースを設けたものにすれば、見て楽しいものとなる。
【発明の効果】
【００３１】  この発明は、ペーパーを切り取るときに、片手のみで行うことができるものである。すなわち、引き出したペーパーを単に上方へ引上げるだけで作業を行えるから、半身不随の身体障害者用として相応しいものとなったし、更に切り取った後、ペーパー切取辺６に隠れないペーパー摘み部１１が自動的に生じ、次に取り出すときの煩わしさが無くなった。【００３２】  更に、作動カバー７を前後に分断することにより、作動軸部９にて回動自在に蝶着しているペーパー押え辺部５は、自重にて垂れ下がって壁側背面部３に引っ掛かるのを防ぎ、常にペーパー切取辺６も自重で下を向くことにより不意なホルダーとの接触による負傷事故を軽減することが出来る。【００３３】  また、図１１に見るように、本来は破線で示した位置にあるペーパー切取辺６は、実線の上記ペーパー切取辺６とペーパー押え辺部５のように、ロールペーパー表面１０に当接するようになるから、ペーパー交換時には、上部カバー１を矢印の方向へ持上げると、上記ペーパー押え辺部５は矢印のように両方向へ自在に傾くことができ容易に上記上部カバー１と作動カバー７を引き上げ得て、ペーパー交換上好ましいものとなる。【００３４】  更に、ペーパー切取辺６を鋭利に、作動カバー７のペーパー押さえ辺部５の摩擦力を高めるために、それぞれの形状、材質を変えることによりペーパーの切り取りが楽になる。
加えて、殺風景なトイレ空間を、上部カバー１面に好きな絵画を飾ることにより、心地良い空間にすることができる。
【発明を実施するための最良の形態】
【００３５】  この発明を実施するための最良の形態は、作動カバー７を前後に分割したものであり、更には図１に示したような連係手段である長方形状透孔８を、ペーパー切取辺６近くまで大きく延長させて、カバーペーパー押え辺部４が長方形状透孔８から上方へ自由に露出し得るように構成したものである。【００３６】  この発明の基本的な作用は、使用時として既述したので多くは割愛するが、ペーパー切り取り時に上部カバー１を上昇させる力が働くときに、ペーパー切取方向１２とペーパー押え辺部５の合力が回動軸部２で該上部カバー１を下向きに回動させる力が働き、作動軸部９を介してカバーペーパー押さえ辺部４を連動させロールペーパー表面１０を押圧する。
そして、ロールペーパー表面１０をペーパー押さえ辺部５とカバーペーパー押さえ辺部４で挟む状態になることで回転運動を固定して、不要なペーパーの流出を防止し、片手で簡単にペーパーを切り取ることが出来るようになるのである。【００３７】  また、ペーパーを切り取ったときに、ペーパー切取辺６が上昇して生ずるペーパー切取辺６とカバーペーパー押え辺部４との離間距離分が、上側部分のペーパーカバーに隠れないペーパー摘み部１１として自動的に生じるが、ペーパーの残りが少なくなった時、すなわちロールペーパー表面１０の直径が小さくなった図４の状態では、あまりに大きな離間距離となって見苦しいし、ペーパーも切断し難くなる。【００３８】  そこで、図６や図８及び図１０に示したように離間距離の小さなものにするためには、上部カバー１と作動カバー７の形状や、図２に示したようにロールペーパーの中心軸となるペーパー用支軸１４の垂直中心線と作動軸部９の垂直中心線との矢印で示したずれの量も、上部カバー１の回動軸部２に対する上記作動軸部９の高さの設定と相俟って、微妙に影響するから十分考慮して設計すべきである。【００３９】  加えて、ペーパー押さえ辺部５に形状、材質を変えたものを付加することにより、摩擦力が大きくなり、しっかり押さえることができるようになることから、湾曲し凸凹した形状の合成樹脂を用いたものにすれば誤作動が少なくなり好ましいし、ペーパー切取辺６もその形状、材質を変えたものを付着することにより、安全性を図りながら少ない力で切れるようになることから、合成樹脂や金属を用いた鋸形や直線形にすると好ましい。
更には上部カバー１の上面に写真・絵等の切抜１３などを飾れるスペースを設け、透明の合成樹脂を用いた絵画装飾部カバー１７で覆い装飾できるようにしたら申し分なかろう。【００４０】  さて、この発明の最良の形態として上述した図１のように、分断した作動カバー７のペーパー切取辺６を、カバーペーパー押え辺部４が越えて回動することにより、ロールペーパーの交換時に、取手２０を摘んで持上げれば、作動軸部９を介して作動カバー７の上記ペーパー切取辺６とペーパー押え辺部５は自重で吊り下げられた状態で、ペーパー押え辺部５は壁側背面部３に接触することなく、また、ペーパー用支軸１４を押圧することもなく引き上げられて行くから交換作業性が向上する。
また、作動カバー７を湾曲にして上部カバー１と組み立てたものを各例として前述してきたが、組み立てたときに、２枚の部材が交差した形になり、ロールペーパー表面１０を複数点で押さえ、挟める形になればどのような形の組み合わせでも構わない。
【実施例１】
【００４１】  以下に、この発明の各実施例を図面に基づいて説明する。実施例１は図１６に示すような作動カバー７が分断していないものである。
また、図５と図６のように上部カバー１を薄い金属か合成樹脂製の長めにして先端部を下向きに湾曲させ、同じ材質の作動カバー７はロールペーパー表面１０に沿うような湾曲度を持たせたものである。【００４２】  このようにすると、図２に比してペーパー用支軸１４の垂直中心線と作動軸部９の垂直中心線とのずれ量が大きくなり、梃子の原理で作動カバー７の後方の方が重いので、常にペーパー押さえ辺部５がロールペーパー表面１０に接触していることになるから、ロールペーパーの回転ブレーキとなっている。【００４３】  ただし、欠点もある。すなわち、図５の破線で示したのはロールペーパーが途中まで消耗した状態であって、図６のようにペーパーが無くなる状態のときと共に、作動カバー７の後方が滑らかに湾曲していることが災いして、ペーパー切断時に上部カバー１を上方へ上げてしまう虞を生じやすいから、上記作動カバー７の後方はペーパー押え辺部５を含めた全面に渡って摩擦性を高くする手段を講ずる必要がある。
【実施例２】
【００４４】  実施例２は、図７及び図８に示したもので、実施例１とは上部カバー１が短く、作動カバー７の後方の湾曲性を異にしているものであって、湾曲と言うよりも途中で屈曲させたもの、それに後端辺はペーパー押え辺部５として内側へ突出させたものとした。
短い上部カバー１と言っても、図７の一点鎖線で示した矢印の如く、回動軸部２を中心とした作動軸部９の回動軌道は、ペーパー用支軸１４に当接するようでなければならない。【００４５】  こうすると、ペーパー切断時に、突出したペーパー押え辺部５が実施例１よりも大きなブレーキ性を生ずるし、ロールペーパーが無くなる状態のときは、図８に見るように作動カバー７の屈曲部が当接して滑り難くなるのである。
【実施例３】
【００４６】  実施例３は、図９及び図１０に示したもので、実施例２に似た効果を得ようとしたものであり、作動カバー７の後方の屈曲部を２ヶ所設けたものである。
屈曲部を２ヶ所とした理由は、ロールペーパーが満管時に接するものと、ロールペーパーが無くなる状態のときに接するものとしたのであって特に説明の要はなかろう。【００４７】  以上の各実施例は、主として作動カバー７の形状に対して異なるものとし説明したが、その他の共通事項としては次のようなものがある。
作動軸部９や回動軸部２は、回動運動をすれば１本の長軸なり、突起体とそれを受ける凹部のもの、若しくは蝶番等、周知の慣用手段で構わない。【００４８】  また、作動カバー７の長さの中で、作動軸部９からペーパー切取辺６までの寸法を長くすることにより、梃子の原理を使い少ない力でロールペーパー表面１０に対し大きな押さえる力を出せるとともに、常に重心が手前にあることにより上記ペーパー切取辺６が下向きに保たれるようになって、手指の接触による負傷の危険性を低くすることができる。
加えて、ペーパーを切り取った後のペーパー摘み部１１を長くすることができる。
【実施例４】
【００４９】  次に上部カバー１と作動カバー７との組合せの実施例について述べる。図１２は、図１６に示したものの組合せであり実施例４とする。
すなわち、作動カバー７にある連係手段の長方形状透孔８の両端にある凹部に、上部カバー１のカバーペーパー押え辺部４の幅を、上記長方形状透孔８を通過する程度に短くして、かつ、同じ幅とした作動軸部９の位置には突起体を有して、この突起体を凹部に回動自在に嵌め込んで上記作動軸部９としたものである。
当然ながら、ロールペーパー表面１０に対するカバーペーパー押え辺部４の圧接力は、短いだけに面積当りの力が増すから結果として大きな変わりはないのである。
【実施例５】
【００５０】  実施例５は、図１３に見るように、実施例４とは逆にしたもので、長方形状透孔８を上部カバー１に設けたものであり、これはペーパー押え辺部５の方が短くなる。
ロールペーパー表面１０に対する圧接力の有効性は、接触面積当りの圧接力の強弱もあるが、同じ摩擦係数の材質を採用するならカバーペーパー押え辺部４よりもペーパー押え辺部５の方が重要であるから、実施例４の方が好ましいと言えよう。
【実施例６】
【００５１】  実施例６は、図１４に見るように、上部カバー１と作動カバー７の両方に連係手段として長方形状透孔８に代え長方形状の切欠を設け、互いに差し込んで丁度両者の幅に合うよう一方に長めの凹部、他方にはこの凹部に回動自在に嵌る長めの丸棒とする作動軸部９としたものである。
【実施例７】
【００５２】  実施例７は、図１、図１５に示した作動カバー７を前後に分断させたものであって、１本の長軸を作動軸部９として共用するように、上部カバー１も、分断している作動カバー７も、その一部分で回動自在に吊り下がるように成されている。したがって、該作動カバー７は図１５の矢印のように前後の方向へ揺動自在となっている。
しかも、分断している作動カバー７には、定めた以上に上方へ反らないようにするための突片１８が、互いに表面上に押し当て止めとなるようにしている。
【実施例８】
【００５３】  実施例８は、最も好ましい実施例として前述した図１のものである。すなわち、連係手段でもある長方形状透孔８を、ペーパー切取辺６近くまで大きく延長させてカバーペーパー押え辺部４が長方形状透孔８から上方へ自由に露出し得るように構成したものである。
こうすれば、取手２０を他の実施例よりも手前に設けられるから、ペーパー交換時にはこの取手２０が摘みやすいし、回動軸部２から遠く離れているだけ他よりも持上げやすい。【００５４】  勿論、ペーパー切断時の作業に支障はないし、他の実施例ではカバーペーパー押え辺部４が邪魔して回動できなかったペーパー切取辺６が、直接ロールペーパー表面１０に当接するようになる。
なお、図１ではペーパー押え辺部５を直状に下方へ延伸させたものとしているが、該ペーパー押え辺部５のロールペーパー表面１０へ圧接効果を上げるためには出来るだけ長くし、カバーペーパー押え辺部４と該ペーパー押え辺部５の端辺とを結ぶ線が、ペーパー用支軸１４の中心を通る程度に、満管時のロールペーパー表面１０を挟み込むのが望ましいのである。
【実施例９】
【００５５】  実施例９は、図１７に示したもので、一般的なＬサイズの写真を上部カバー１に入れて、汚れないように透明な絵画装飾部カバー１７をするものである。この写真は雑誌などの切り抜きやメモ用紙などの雑紙でもスペースに収まるものなら支障なく装飾できる。【００５６】  この発明は、芯を有するロール状のものなら、基本的にはトイレットペーパーのみならず、キッチンペーパー、不織布、アルミ箔など構造上全てにおいて使えるものである。
【図面の簡単な説明】
【００５７】
【図１】この発明の使用状態で、前後に分割した作動カバーを採用し、カバーペーパー押え辺部を表面に露出可能にした実施例の要部を示す斜視図である。（実施例８）
【図２】この発明の使用状態を説明するための側面模式図である。
【図３】図２のペーパーを切断する使用状態で示す側面模式図である。
【図４】図３のペーパーが最少となったときのペーパーを切断する状態で示す側面模式図である。
【図５】この発明の作動カバーを円弧状とした実施例で、満管時のペーパーを取り付けた状態で示す側面模式図である。（実施例１）。
【図６】図５の実施例のものを、ペーパーが最少となったときの使用状態で示した側面模式図である。（実施例１）
【図７】この発明の作動カバーを他の実施例としたもので、満管時のペーパーを取り付けた状態で示す側面模式図である。（実施例２）。
【図８】図７の実施例のものを、ペーパーが最少となったときの使用状態で示した側面模式図である。（実施例２）
【図９】この発明の作動カバーを更に他の実施例としたもので、満管時のペーパーを取り付けた状態で示す側面模式図である。（実施例３）。
【図１０】図９の実施例のものを、ペーパーが最少となったときの使用状態で示した側面模式図である。（実施例３）
【図１１】図４の作動カバーを、前後に分割したものとして示した側面模式図である。
【図１２】図１６の上部カバーから作動カバーを分離した状態で示す斜視図である。（実施例４）
【図１３】この発明の上部カバー及び作動カバーを、他の実施例で示す斜視図である。（実施例５）
【図１４】この発明の上部カバー及び作動カバーを、更に他の実施例で示す斜視図である。（実施例６）
【図１５】この発明の他の実施例で、前後に分割した作動カバーを採用した斜視図である。（実施例７）
【図１６】この発明の他の実施例の使用状態で示す斜視図である。（実施例４）
【図１７】この発明の上部カバーに、写真・絵等の切抜を装着する実施例を示した斜視図である。（実施例９）
【符号の説明】
【００５８】１    上部カバー
２    回動軸部
３    壁側背面部
４    カバーペーパー押え辺部
５    ペーパー押え辺部
６    ペーパー切取辺
７    作動カバー
８    長方形状透孔
９    作動軸部
１０  ロールペーパー表面
１１  ペーパー摘み部
１２  ペーパー切取方向
１３  写真・絵等の切抜
１４  ペーパー用支軸
１９  空間
２０  取手
【図１】
2007330728.tif 000003
【図２】
2007330728.tif 000004
【図３】
2007330728.tif 000005
【図４】
2007330728.tif 000006
【図５】
2007330728.tif 000007
【図６】
2007330728.tif 000008
【図７】
2007330728.tif 000009
【図８】
2007330728.tif 000010
【図９】
2007330728.tif 000011
【図１０】
2007330728.tif 000012
【図１１】
2007330728.tif 000013
【図１２】
2007330728.tif 000014
【図１３】
2007330728.tif 000015
【図１４】
2007330728.tif 000016
【図１５】
2007330728.tif 000017
【図１６】
2007330728.tif 000018
【図１７】
2007330728.tif 000019